(57)【特許請求の範囲】
【請求項１】
偏平四角形状の金属製錠箱内に、錠機構構成部材である少なくともダルマ軸と、該ダルマ軸の回動に従動して前記錠箱の前端面から突出・後退する金属製のデッドボルトと、ピン、ビスの支持・締結部材とが組み込まれ、前記錠箱内において前記錠機構構成部材の配設されていない空間部に、該空間部と略同形状で形成された樹脂製の中空ブロックが設けられた抑音錠であって、
前記中空ブロックが、前記ダルマ軸（１１）を内側に収容するダルマ軸枠（６１）が中央部に形成された第１中空ブロック（５５Ａ）と、前記デッドボルト（１５）を挟持するようにデッドボルト（１５）の両側に設けられた第２中空ブロック（５５Ｂ）及び第３中空ブロック（５５Ｃ）とよりなり、
前記各中空ブロックが、前記錠箱の内部空間に連通する小室を有し、
前記錠箱の前端面には、前記デッドボルト（１５）が突出・後退するデッドボルト出入口（２７ａ）が形成されたフロントパネル（２７）が設けられ、第２中空ブロック（５５Ｂ）及び第３中空ブロック（５５Ｃ）の各先端部には、デッドボルト（１５）とデッドボルト出入口（２７ａ）との間隔に挟入されてデッドボルト（１５）を接摺ガイドするボルトガイド（８５，１１７）が一体に形成されていることを特徴とする抑音錠。
【請求項２】
前記錠箱内には、前記ダルマ軸（１１）の一部外周に沿う隔壁板（４９）が立設され、前記第１中空ブロック（５５Ａ）には、ダルマ軸（１１）を内側に収容する前記ダルマ軸枠（６１）が中央部に貫通穴状に形成されるとともに、前記隔壁板（４９）が挿入される隔壁板穴（７４）が形成されていることを特徴とする請求項１に記載の抑音錠。
【発明の詳細な説明】
【技術分野】
【０００１】
本発明は、少なくともダルマ軸と、このダルマ軸の回動によって突出・後退するデッドボルトとの錠機構構成部材が錠箱内に備えられた錠装置において、特に、その作動音を抑止可能とした抑音錠に関する。
【背景技術】
【０００２】
錠装置は、高剛性の金属板からなる錠箱内に、同じく金属製のデッドボルトを突出・後退させる錠機構を内蔵することで、容易な破壊を困難にして防犯性を高めている。デッドボルトは、錠箱に設けられた錠機構構成部材であるダルマ軸が回動操作されることにより、錠箱から突出・後退作動する。この他、錠装置には、デッドボルトのスライドをガイドするピン、デッドボルトの後退を規制するストッパー、このストッパーを揺動自在に支持する支持ピン、或いは錠箱の蓋体を固定するビス等の支持・締結部材、各部材の移動を助勢する付勢バネなどが設けられる。また、この種錠装置には、デッドボルトの突出に伴って、鎌形状の鎌デッドが、デッドボルトの先端から円弧状の軌跡で突出され、扉枠側のストライク板背面に掛止することで、扉枠への強固な施錠を可能とした鎌錠装置も提案されている。
【発明の開示】
【発明が解決しようとする課題】
【０００３】
しかしながら、上記した従来の錠装置や、鎌錠装置は、錠箱をはじめ、内部に収容される錠機構構成部材の殆どが金属部材であるため、施解錠操作の都度発生する作動音が、金属の摺接・衝接音等の不快なものとなる問題があった。この不快作動音は、部品点数の多くなる鎌錠装置の場合には更に顕著となる。そして、特に就寝時間帯における操作頻度の高い錠装置では、作動音の静粛性が一層要求された。これに対し、錠箱から漏れる作動音を遮蔽するため、錠箱の外壁面に吸音材等を貼設することも考えられるが、錠箱が大型化し、扉への取付け構造に変更の生じる問題を招請した。
【０００４】
本発明は上記状況に鑑みてなされたもので、施解錠操作に伴って発生する錠機構構成部材による作動音を低減させることのできる抑音錠を提供し、もって、作動音を抑止した静かな操作音の錠を得ることを目的とする。
【課題を解決するための手段】
【０００５】
次に、上記の課題を解決するための手段を、実施の形態に対応する図面を参照して説明する。
本発明の請求項１記載の抑音錠は、金属製の錠箱１３内に、錠機構構成部材である少なくともダルマ軸１１と、該ダルマ軸１１の回動に従動して前記錠箱１３から突出・後退する金属製のデッドボルト１５と、ピン、ビスの支持・締結部材３３，３７，３９，４５とが組み込まれ、
前記錠箱１３内において前記錠機構構成部材の配設されていない空間部５３Ａ，５３Ｂ，５３Ｃに、該空間部５３Ａ，５３Ｂ，５３Ｃと略同形状で形成された樹脂製の中空ブロック５５Ａ，５５Ｂ，５５Ｃが設けられたことを特徴とする。中空ブロックは、前記ダルマ軸１１を内側に収容するダルマ軸枠６１が中央部に形成された第１中空ブロック５５Ａと、前記デッドボルト１５を挟持するようにデッドボルト１５の両側に設けられた第２中空ブロック５５Ｂ及び第３中空ブロック５５Ｃとにより構成されている。
【０００６】
この抑音錠では、施解錠操作がなされると、錠機構構成部材同士、或いは錠機構構成部材と錠箱１３との摺接や衝接によって作動音が発生するが、錠箱１３内の空間部５３Ａ，５３Ｂ，５３Ｃに設けられた中空ブロック５５Ａ，５５Ｂ，５５Ｃによって、その作動音の反響や共鳴が抑止される。また、作動音の発生部が中空ブロック５５Ａ，５５Ｂ，５５Ｃに覆われることで、音源が、音を伝達し難い樹脂製中空ブロック５５Ａ，５５Ｂ，５５Ｃにより遮蔽され、遮音効果が高められる。
【０００７】
本発明の抑音錠は、前記中空ブロック５５Ａ，５５Ｂ，５５Ｃが、前記錠箱１３の内部空間に連通する小室７１，９３，１０１，１０７，１０９，１１１，１１３を有することを特徴とする。
【０００８】
この抑音錠では、施解錠操作によって発生した作動音が、空間部５３Ａ，５３Ｂ，５３Ｃに配設した中空ブロック５５Ａ，５５Ｂ，５５Ｃの小室７１，９３，１０１，１０７，１０９，１１１，１１３へと取り込まれ、特定周波数の作動音が小室７１，９３，１０１，１０７，１０９，１１１，１１３にて共鳴することで、音エネルギーが減衰される。即ち、作動音が錠箱内で吸音されることとなる。また、樹脂製の中空ブロック５５Ａ，５５Ｂ，５５Ｃに小室７１，９３，１０１，１０７，１０９，１１１，１１３が形成されることで、樹脂成形時に生じ易いヒケやソリ等が発生し難くなる。
【０００９】
本発明の抑音錠は、前記中空ブロック５５Ｂ，５５Ｃが、前記デッドボルト１５の出入口２７ａ周囲に設けられ該デッドボルト１５に摺接するボルトガイド８５、１１７を有することを特徴とする。
【００１０】
この抑音錠では、進退動作するデッドボルト１５が、樹脂製の中空ブロック５５Ｂ，５５Ｃに連設されるボルトガイド８５，１１７に摺接することとなり、デッドボルト１５が直接金属製の錠箱１３に摺接することで生じる金属擦れ音が発生しなくなる。
【００１１】
本発明の抑音錠は、前記中空ブロック５５Ａ，５５Ｂが、前記錠機構構成部材のガイド手段６１、７５を有することを特徴とする。
【００１２】
この抑音錠では、デッドボルト１５以外の錠機構構成部材の金属擦れ音が抑止可能となるとともに、錠箱１３の外部から挿入されるビス等のガイドも可能となることで、固定ビス挿入組み付け時のビス挿入性がスムースとなる。つまり、挿入ビスを円滑に螺合開始位置へ導入することが可能となる。
【００１３】
本発明の抑音錠は、前記中空ブロック５５Ａ，５５Ｂ，５５Ｃが、前記錠機構構成部材の位置決め手段６３、６７、６５、７７、７９、８３、９５、９７を有することを特徴とする。
【００１４】
この抑音錠では、中空ブロック５５Ａ，５５Ｂ，５５Ｃに連設された位置決め手段６３、６７、６５、９５、９７によって、中空ブロック５５Ａ，５５Ｃが錠箱１３内に予めセットされるものであれば、後に取り付けられる錠機構構成部材の位置決めが可能となり、また、後にセットされる中空ブロック５５Ｂの場合には、先に仮組みしておいた錠機構構成部材が、位置決め手段７７、７９、８３、によって所定位置へ位置決め可能となる。
【発明の効果】
【００１５】
本発明に係る請求項１記載の抑音錠によれば、金属製の錠箱内において、錠機構構成部材の配設されていない空間部に、この空間部と略同形状で形成された樹脂製の中空ブロックを設けたので、施解錠操作によって発生する錠機構構成部材による作動音を、空間部で反響や共鳴させなくすることができる。また、作動音の発生部が中空ブロックに覆われるので、遮音的効果も得られ、音漏れが軽減される。この結果、作動音を抑止した静かな操作音の錠を得ることができる。
【００１６】
本発明の抑音錠によれば、中空ブロックが、錠箱の内部空間に連通する小室を有するので、施解錠操作によって発生する錠機構構成部材による作動音を、空間部に配設した中空ブロックの小室へと取り込み、特定周波数の音エネルギーを共鳴により減衰させることが可能となる。これにより、作動音を抑止して、静かな操作音の錠を得ることができる。また、樹脂製の中空ブロックに小室が形成されることで、中実ブロックの場合に比べ、成形時のヒケやソリ等が生じ難くなり、高い成形寸法精度の中空ブロックを得ることができる。
【００１７】
本発明の抑音錠によれば、中空ブロックが、デッドボルトの出入口周囲に設けられデッドボルトに摺接するボルトガイドを有するので、デッドボルトが直接錠箱に摺接しなくなり、金属製のデッドボルトと、同じく金属製の錠箱出入口周囲との摺接による金属擦れ音を消音することができる。これにより、金属擦れ音の抑止された静かな操作音の錠を得ることができる。
【００１８】
本発明の抑音錠によれば、中空ブロックが、錠機構構成部材のガイド手段を有するので、錠機構構成部材が樹脂製の中空ブロックに接触することとなり、錠機構構成部材の作動時における金属擦れ音を抑止したり、固定ビス挿入組み付け時の作業性を良好にすることができる。
【００１９】
本発明の抑音錠によれば、中空ブロックが、錠機構構成部材の位置決め手段を有するので、中空ブロックが錠箱内に予めセットされていれば、後の錠機構構成部材が位置決め手段によって、容易に錠箱内の所定位置に組み付けることができ、また、後に中空ブロックをセットすれば、先に仮組みしておいた錠機構構成部材を、位置決め手段によって所定位置へ高精度に位置決めすることができる。このことから、製造時に各部品の配置作業を容易なものとすることが可能となる。
【発明を実施するための最良の形態】
【００２０】
以下、本発明に係る抑音錠の好適な実施の形態を図面を参照して詳細に説明する。
図１は本発明に係る抑音錠の側板を外した側面図、図２は図１に示した抑音錠の中空ブロックを外した分解側面図、図３は第３中空ブロックを外した分解側面図、図４は第１中空ブロックの側面視を（ａ）、正面視を（ｂ）、Ｉ−Ｉ断面を（ｃ）に示した説明図、図５は第２中空ブロックの側面視を（ａ）、正面視を（ｂ）、II−II断面を（ｃ）に示した説明図、図６は第３中空ブロックの側面視を（ａ）、正面視を（ｂ）、III-III 断面を（ｃ）に示した説明図、図７は抑音錠を斜め下方から見た外観斜視図、図８は鎌錠を有しない抑音錠の変形例を表した側面図である。
本実施の形態による抑音錠１００は、例えば鎌デッドを有する錠装置に適用することができる。すなわち、錠機構構成部材であるダルマ軸１１と、ダルマ軸１１の回動に従動して錠箱１３から突出・後退するデッドボルト１５と、デッドボルト１５の先端に内蔵される鎌デッド１７と、デッドボルト１５の突出状態からの後退を阻止するストッパー１９と、ダルマ軸１１の回動を約９０°の回転角度範囲で規制する揺動杆２１等とを備えてなる。
【００２１】
錠箱１３は、不図示の扉内に収容可能となった扁平四角形状の箱部１３ａと、この箱部１３ａの一側面の開口に、ビスにより固定される蓋体１３ｂ（図７参照）とからなる。錠箱１３の前端面には取付板２３が設けられ、取付板２３は不図示の扉木口に固定ビス２５によって固定される。取付板２３の表面にはさらに木口に表出するフロントパネル２７が化粧ビス２９によって固定される。これにより、錠箱１３は、扉木口でフロントパネル２７によって覆われ、フロントパネル２７に形成されたデッドボルト出入口２７ａからデッドボルト１５を進退させることになる。
【００２２】
ダルマ軸１１の一端側には扉の室外面に設けられる例えばシリンダー錠の連結部が係合される。また、ダルマ軸１１の他端側には扉の室内面に設けられる例えばサムターンの連結部が係合される。ダルマ軸１１には半径方向外側に突出する押杆３１が設けられ、押杆３１の先端は支持・締結部材である支軸３３に回動自在に支持された揺動杆２１の先端に回動自在に連結されている。したがって、ダルマ軸１１は、例えば９０°の回転角度範囲に回動が規制され、かつ揺動杆２１に外挿された揺動バネ３５によって、９０°の回転角度範囲のいずれか一方側に回動するよう付勢される。
【００２３】
錠箱１３内には支持・締結部材であるガイド軸３７が立設され、ガイド軸３７はデッドボルト１５に形成された長穴１５ａをガイドする。デッドボルト１５は、上記の押杆３１に、不図示の後部切欠が押圧されることで、錠箱１３外へと突出される。突出されたデッドボルト１５は、支持・締結部材であるストッパー軸３９によって基端を揺動自在に支持したストッパー１９が、ストッパーバネ４１の付勢力で回動係止されることで、後退が規制されるようになっている。
【００２４】
また、錠箱１３内には、デッドボルト１５の先端上方に、鎌デッド１７が鎌軸４３を中心に回動自在に設けられる。鎌デッド１７は、断面コ字状に形成されるデッドボルト１５の内側に収容され、支持・締結部材である鎌ピン４５を介してデッドボルト１５と連動可能に連結されている。したがって、デッドボルト１５が錠箱１３から突出されることで、鎌デッド１７は鎌ピン４５を係合させながら、鎌軸４３を中心に円弧状に突出されることとなる。これにより、不図示の扉枠側に設けられたストライク板の背面に鎌デッド１７が掛止し、高い防犯施錠状態が実現されるようになっている。
【００２５】
ダルマ軸１１は、デッドボルト１５が突出された状態で、図１の反時計回りに回転されることにより、押杆３１を介してデッドボルト１５の不図示の後部切欠を押圧して、デッドボルト１５を後退させる。この際、同時に解除ピン４７がストッパー１９を押下し、ストッパー１９とデッドボルト１５との係合状態を解除する。さらに、デッドボルト１５の後退と連動し、鎌デッド１７も鎌ピン４５を介してデッドボルト１５の内側へ収容され、不図示のストライク板との掛止が解除される。
【００２６】
錠箱１３内には、ダルマ軸１１の一部外周に沿う隔壁板４９が立設されている。また、錠箱１３の底面には蓋体１３ｂを固定するための複数のネジ穴５１が形成されている。ネジ穴５１には蓋体１３ｂを貫通する支持・締結部材である不図示の固定ネジが螺合される。
【００２７】
ところで、錠機構構成部材であるダルマ軸１１、デッドボルト１５、鎌デッド１７、ストッパー１９、揺動杆２１等が配設されていない空間部には、この空間部と略同形状で形成された樹脂製の中空ブロックが設けられている。本実施の形態では、中空ブロックが、第１空間部５３Ａに設けられる第１中空ブロック５５Ａと、第２空間部５３Ｂに設けられる第２中空ブロック５５Ｂと、第３空間部５３Ｃに設けられる第３中空ブロック５５Ｃとの３つに分割されている。
【００２８】
図３に示すように、第１中空ブロック５５Ａと、第３中空ブロック５５Ｃとは、デッドボルト１５の組み付け前に、デッドボルト１５の下側となって箱部１３ａにセットされる。一方、第２中空ブロック５５Ｂは、その状態で、デッドボルト１５の上側に配設される。つまり、デッドボルト１５は、第３中空ブロック５５Ｃと第２中空ブロック５５Ｂとに挟持された状態となる。
【００２９】
図４に示すように、第１中空ブロック５５Ａには、ダルマ軸１１を内側に収容するダルマ軸枠６１が中央部に形成される。第１中空ブロック５５Ａには、ダルマ軸枠６１の上方に複数のビス穴ガイド６３が形成される。ダルマ軸枠６１の下方には、支軸ヨケ６５と、ガイド軸穴６７とが形成される。また、第１中空ブロック５５Ａの先端部６９には複数の小室７１が形成される。小室７１は、隔壁に区画され、更に中底７３によって、第１上小室７１ａ、第２上小室７１ｂ、第１下小室７１ｃ、第２下小室７１ｄ、貫通室７１ｅに分割されている。また、先端部６９とダルマ軸枠６１との間には、隔壁板４９を挿入するための隔壁板穴７４が形成されている。
【００３０】
図５に示すように、第２中空ブロック５５Ｂには、ダルマ軸１１の下方でダルマ軸１１を避けるためのダルマ軸枠７５が形成されている。ダルマ軸枠７５の下方には、支軸ヨケ７７と、ストッパーヨケ７９とが形成される。さらに、第２中空ブロック５５Ｂの先端部８１には、鎌軸穴８３、ボルトガイド８５が形成される。ボルトガイド８５は、一側面側のガイド面８５ａによって、デッドボルト１５を摺接ガイドする。このボルトガイド８５の先端は、フロントパネル２７の出入口２７ａとデッドボルト１５との間隙に挟入される。第２中空ブロック５５Ｂの中央部には隔壁板ヨケ８９、ガイド軸穴９１が形成されている。また、第２中空ブロック５５Ｂの先端上部には、下小室９３が形成されている。
【００３１】
図６に示すように、第３中空ブロック５５Ｃの後縁部には、ガイド軸ヨケ９５と、ストッパーヨケ９７とが形成される。第３中空ブロック５５Ｃの上部には鎌軸穴９９と、小室１０１とが形成される。また、第３中空ブロック５５Ｃの下部には、ネジ穴５１（図２参照）のネジ穴ガイド１０３と、中底１０５によって分割された上小室１０７と、下小室１０９とが形成される。また、上小室１０７の後方には上小室１１１、１１３が形成される。さらに、第３中空ブロック５５Ｃの先端部１１５には、ボルトガイド１１７が形成される。ボルトガイド１１７は、一側面側のガイド面１１７ａによって、デッドボルト１５を摺接ガイドする。このボルトガイド１１７の先端は、フロントパネル２７の出入口２７ａとデッドボルト１５との間隙に挟入される。
【００３２】
抑音錠１００は、このような第１中空ブロック５５Ａ、第２中空ブロック５５Ｂ、第３中空ブロック５５Ｃを、第１、第２、第３空間部５３Ａ、５３Ｂ、５３Ｃに収容することで、図７に示すように、従来の鎌錠装置と外形状が同一となる。但し、デッドボルト１５が進退するデッドボルト出入口２７ａには、第３中空ブロック５５Ｃのボルトガイド８５と、第２中空ブロック５５Ｂのボルトガイド１１７とが表出する。
【００３３】
この抑音錠では、施解錠操作がなされると、錠機構構成部材同士、或いは錠機構構成部材と錠箱１３との摺接や衝接によって作動音が発生するが、錠箱１３内の第１空間部５３Ａ、第２空間部５３Ｂ、第３空間部５３Ｃ（以下、「空間部５３Ａ，５３Ｂ，５３Ｃ」とも称す）に設けられた第１中空ブロック５５Ａ、第２中空ブロック５５Ｂ、第３中空ブロック５５Ｃによって、その作動音の反響や共鳴が抑止される。また、作動音の発生部が第１中空ブロック５５Ａ、第２中空ブロック５５Ｂ、第３中空ブロック５５Ｃ（以下、「中空ブロック５５Ａ，５５Ｂ，５５Ｃ」とも称す）に覆われることで、音源が、音を伝達し難い樹脂製中空ブロックにより遮蔽され、遮音効果が高められる。
【００３４】
そして、中空ブロック５５Ａ，５５Ｂ，５５Ｃが、錠箱１３の内部空間に連通する小室７１，９３，１０１，１０７，１０９，１１１，１１３を有するので、施解錠操作によって発生した作動音が、空間部５３Ａ，５３Ｂ，５３Ｃに配設した中空ブロック５５Ａ，５５Ｂ，５５Ｃの小室７１，９３，１０１，１０７，１０９，１１１，１１３へと取り込まれ、特定周波数の作動音が小室７１，９３，１０１，１０７，１０９，１１１，１１３にて共鳴することで、音エネルギーが減衰される。即ち、作動音が錠箱１３内で吸音されることとなる。
【００３５】
なお、小室７１，９３，１０１，１０７，１０９，１１１，１１３は、スリットを介して開口させることがより好ましい。すなわち、小室７１，９３，１０１，１０７，１０９，１１１，１１３とスリットとによって、特定周波数の音エネルギーを共鳴により内部に取り込んで減衰させる所謂ヘルムホルツの共鳴器が構成される。この場合、小室７１，９３，１０１，１０７，１０９，１１１，１１３は、特定の容積に設定される。
【００３６】
このような構成において、共鳴器の共振周波数ｆは、
ｆ〔Ｈｚ〕＝（ｃ／２π）×√（ｓ／（ｖ×（ｔ＋δ））
の式１で与えられる。ここで、
ｃ：音速
ｓ：開口端断面積
ｖ：小室容積
ｔ：スリット部分の板厚つまり音がスリット内を通過する距離
δ：補正項である。
【００３７】
従って、小室７１，９３，１０１，１０７，１０９，１１１，１１３は、開口端断面積ｓ、容積ｖ、音のスリット内通過距離ｔを適宜に設定することにより、上述の式１で求められる周波数ｆの音に共鳴して、これを吸収するヘルムホルツの共鳴器としての機能を果たすことになり、所望の周波数帯域の吸音効果を得ることができるようになる。
【００３８】
また、樹脂製の中空ブロック５５Ａ，５５Ｂ，５５Ｃに小室７１，９３，１０１，１０７，１０９，１１１，１１３が形成されることで、樹脂成形時に生じ易いヒケやソリ等が発生し難くなる。
【００３９】
また、中空ブロック５５Ｂ，５５Ｃが、デッドボルト１５の出入口２７ａ周囲に設けられデッドボルト１５に摺接するボルトガイド８５、１１７を有するので、進退動作するデッドボルト１５が、樹脂製の中空ブロック５５Ｂ，５５Ｃに連設されるボルトガイド８５、１１７に摺接することとなり、デッドボルト１５が直接金属製の錠箱１３に摺接することで生じる金属擦れ音が発生しなくなる。これにより、金属擦れ音の抑止された静かな操作音の錠を得ることができる。
【００４０】
また、中空ブロック５５Ａ，５５Ｂが、錠機構構成部材のガイド手段であるダルマ軸枠６１、ダルマ軸枠７５を有するので、デッドボルト１５以外の錠機構構成部材の金属擦れ音が抑止可能となるとともに、錠箱１３の外部から挿入されるビス等のガイドも可能となることで、固定ビス挿入組み付け時のビス挿入性がスムースとなる。つまり、挿入ビスを円滑に螺合開始位置へ導入することが可能となる。これにより、錠機構構成部材の作動時における金属擦れ音を抑止したり、固定ビス挿入組み付け時の作業性を良好にすることができる。
【００４１】
さらに、中空ブロック５５Ａ，５５Ｂ，５５Ｃが、錠機構構成部材の位置決め手段であるビス穴ガイド６３、ガイド軸穴６７、支軸ヨケ６５、支軸ヨケ７７、ストッパーヨケ７９、鎌軸穴８３、ガイド軸ヨケ９５、ストッパーヨケ９７、鎌軸穴９９を有するので、中空ブロック５５Ａ，５５Ｃが錠箱１３内に予めセットされるものであれば、後に取り付けられる錠機構構成部材の位置決めが可能となり、また、後にセットされる中空ブロック５５Ｂの場合には、先に仮組みしておいた錠機構構成部材が、位置決め手段によって所定位置へ位置決め可能となる。これにより、錠機構構成部材を、位置決め手段によって所定位置へ高精度に位置決めすることができる。
【００４２】
したがって、この抑音錠１００によれば、錠箱１３内において、錠機構構成部材の配設されていない空間部５３Ａ，５３Ｂ，５３Ｃに、この空間部５３Ａ，５３Ｂ，５３Ｃと略同形状で形成された樹脂製の中空ブロック５５Ａ，５５Ｂ，５５Ｃを設けたので、施解錠操作によって発生する錠機構構成部材による作動音を、空間部５３Ａ，５３Ｂ，５３Ｃで反響や共鳴させなくすることができる。また、作動音の発生部が中空ブロック５５Ａ，５５Ｂ，５５Ｃに覆われるので、遮音的効果も得られ、音漏れが軽減される。この結果、作動音を抑止した静かな操作音の錠を得ることができる。
【００４３】
なお、上記の実施の形態では、鎌錠装置を例に説明したが、本発明は、鎌デッド１７を有しない、図８に示す通常の錠装置１００Ａに適用してもよく、或いは、ラッチボルトを備えた構成の錠装置など、他の構成による錠装置に適用してもよく、錠箱内における錠機構構成部材の配設されていない空間部に、その空間部と略同形状に形成された樹脂製中空ブロックを設けることで、上記同様の効果を奏するものである。
【図面の簡単な説明】
【００４４】
【図１】本発明に係る抑音錠の側板を外した側面図である。
【図２】図１に示した抑音錠の中空ブロックを外した分解側面図である。
【図３】第３中空ブロックを外した分解側面図である。
【図４】第１中空ブロックの側面視を（ａ）、正面視を（ｂ）、Ｉ−Ｉ断面を（ｃ）に示した説明図である。
【図５】第２中空ブロックの側面視を（ａ）、正面視を（ｂ）、II−II断面を（ｃ）に示した説明図である。
【図６】第３中空ブロックの側面視を（ａ）、正面視を（ｂ）、III-III 断面を（ｃ）に示した説明図である。
【図７】抑音錠を斜め下方から見た外観斜視図である。
【図８】鎌錠を有しない抑音錠の変形例を表した側面図である。
【符号の説明】
【００４５】
１１…軸錠機構構成部材（ダルマ軸）
１３…錠箱
１５…軸錠機構構成部材（デッドボルト）
１９…軸錠機構構成部材（ストッパー）
２７ａ…出入口
３３…支持・締結部材（支軸）
３７…支持・締結部材（ガイド軸）
３９…支持・締結部材（ストッパー軸）
４５…支持・締結部材（鎌ピン）
５３Ａ，５３Ｂ，５３Ｃ…空間部
５５Ａ，５５Ｂ，５５Ｃ…中空ブロック
６１…ガイド手段（ダルマ軸枠）
６３…位置決め手段（ビス穴ガイド）
６５…位置決め手段（支軸ヨケ）
６７…位置決め手段（ガイド軸穴）
７１，９３，１０１，１０７，１０９，１１１，１１３…小室
７５…ガイド手段（ダルマ軸枠）
７７…位置決め手段（支軸ヨケ）
７９…位置決め手段（ストッパーヨケ）
８３…位置決め手段（鎌軸穴）
８５，１１７…ボルトガイド
９５…位置決め手段（ガイド軸ヨケ）
９７…位置決め手段（ストッパーヨケ）
１００，１００Ａ…抑音錠
【図１】
0004724500.tif 000002
【図２】
0004724500.tif 000003
【図３】
0004724500.tif 000004
【図４】
0004724500.tif 000005
【図５】
0004724500.tif 000006
【図６】
0004724500.tif 000007
【図７】
0004724500.tif 000008
【図８】
0004724500.tif 000009